(57)【要約】      （修正有）【課題】歯科用口腔内Ｘ線撮影装置の消毒用の殺菌装置を提供する。【解決手段】歯科用口腔内Ｘ線撮影装置の殺菌装置１０は、歯科用口腔内Ｘ線撮影装置のグリップを保持する第１保持部１３と、殺菌灯１２とを含む殺菌室Ａを備える。殺菌室Ａの下部に、歯科用口腔内Ｘ線撮影装置における撮影部材を保持する撮像部を覆う防水カバー６１を複数並べた防水カバーシート６０をロール状に保持するロールホルダーを含む第２保持部１９を備える。【選択図】図９
2015051103.tif 000002
【特許請求の範囲】
【請求項１】
歯科用口腔内Ｘ線撮影装置のグリップを保持する第１保持部と、殺菌灯とを含む殺菌室と、
前記殺菌室の下部に、前記歯科用口腔内Ｘ線撮影装置における撮影部材を保持する撮像部を覆う防水カバーを複数並べた防水カバーシートをロール状に保持するロールホルダーを含む第２保持部とを備えることを特徴とする殺菌装置。
【請求項２】
前記防止カバーシートのロール部分を隠すために、第２保持部の少なくとも前面を覆うカバー部材が設けられ、前記防水カバーシートのロール部分から延びた先端部分が露出することを特徴とする請求項１に記載の殺菌装置。
【請求項３】
前記防水カバーは、前記撮像部の前面と背面を覆う２枚のシートが張り合わされて形成され、
前記防水カバーシートには、前記防水カバーが複数枚並べられ、前記防水カバーの形状に合わせた切り目が設けられることを特徴とする請求項１に記載の殺菌装置。
【請求項４】
前記撮像部は、Ｘ線フィルム若しくはイメージングプレートを保持するものであり、
前記殺菌室の下部には、前記Ｘ線フィルム若しくはイメージングプレートを保管する引き出しが設けられ、
前記引き出しの内面は、Ｘ線遮蔽部材で覆われることを特徴とする請求項１に記載の殺菌装置。
【請求項５】
前記第１保持部が、前記グリップを保持したか否かを検知する第１センサーを有し、
前記殺菌室の開閉扉には、開閉状態を検知する第２センサーが設けられ、
前記第１センサーと前記第２センサーの検知結果に基づいて、前記殺菌灯の点灯制御が行われることを特徴とする請求項１に記載の殺菌装置。
【請求項６】
前記第１保持部は、前記殺菌室の底面に設けられた孔若しくは凹みで、前記孔若しくは凹みに前記グリップの一部を挿入することで、前記グリップを保持するものであり、
前記第１保持部は、前記グリップと電気的に接続する接続端子を有することを特徴とする請求項１に記載の殺菌装置。
【請求項７】
前記接続端子を介した前記グリップとの電気的な接続を検知する第１センサーを設け、前記第１センサーの検知結果に基づいて、前記殺菌灯の点灯制御が行われることを特徴とする請求項６に記載の殺菌装置。
【請求項８】
歯科用口腔内Ｘ線撮影装置における一方向に延びる部材の一部を保持する第１保持部と、殺菌灯とを含む殺菌室と、
前記殺菌室の下部に、前記歯科用口腔内Ｘ線撮影装置における撮影部材を保持する撮像部を覆う防水カバーを複数並べた防水カバーシートをロール状に保持するロールホルダーを含む第２保持部とを備えることを特徴とする殺菌装置。
【発明の詳細な説明】
【技術分野】
【０００１】
本発明は、歯科用口腔内Ｘ線撮影装置の消毒を行う殺菌装置に関する。
【背景技術】
【０００２】
特許文献１のように、殺菌灯を使って消毒を行う殺菌装置が提案されている。
【先行技術文献】
【特許文献】
【０００３】
【特許文献１】特開２０００−３２５４４２号公報
【発明の概要】
【発明が解決しようとする課題】
【０００４】
しかし、歯科用口腔内Ｘ線撮影装置の消毒用に最適化された殺菌装置はない。
【０００５】
したがって本発明の目的は、歯科用口腔内Ｘ線撮影装置の消毒用の殺菌装置を提供することである。
【課題を解決するための手段】
【０００６】
本発明に係る歯科用口腔内Ｘ線撮影装置の殺菌装置は、歯科用口腔内Ｘ線撮影装置のグリップを保持する第１保持部と、殺菌灯とを含む殺菌室と、殺菌室の下部に、歯科用口腔内Ｘ線撮影装置における撮影部材を保持する撮像部を覆う防水カバーを複数並べた防水カバーシートをロール状に保持するロールホルダーを含む第２保持部とを備える。
【０００７】
殺菌室内に、歯科用口腔内Ｘ線撮影装置を配置し、殺菌灯を点灯させて、歯科用口腔内Ｘ線撮影装置に、殺菌力を持つ波長域の紫外線を照射することで、歯科用口腔内Ｘ線撮影装置を消毒することが出来る。
【０００８】
歯科用口腔内Ｘ線撮影装置のグリップを第１保持部に取り付けることで、殺菌室内での歯科用口腔内Ｘ線撮影装置の保持を容易且つ確実に行える。
【０００９】
また、第１保持部に歯科用口腔内Ｘ線撮影装置を取り付けた時に、特に殺菌灯からの紫外線を照射したい部位（例えば、撮像部）が、殺菌灯からの紫外線照射を近くで且つ直接的に受けられる位置関係になるように、殺菌灯と第１保持部の位置関係を定めておくと、効率良く殺菌を行うことが可能になる。
【００１０】
防水カバーを複数並べた防水カバーシートを第２保持部で保持し、ロール状の防水カバーシートから必要な部数だけ防水カバーを取り外すことで、歯科用口腔内Ｘ線撮影で用いられる防水カバーを、必要な時に入手しやすい状態で保管することが可能になる。
【００１１】
グリップの保持を行う第１保持部を殺菌室内に設け、撮像部を覆う防水カバーを複数並べた防水カバーシートをロール状で保持する第２保持部を殺菌室の下部に設けることにより、歯科用口腔内Ｘ線撮影装置を消毒するために最適な殺菌装置を得ることが可能になる。
【００１２】
好ましくは、防止カバーシートのロール部分を隠すために、第２保持部の少なくとも前面を覆うカバー部材が設けられ、防水カバーシートのロール部分から延びた先端部分が露出する。
【００１３】
防水カバーへの埃などの付着を防ぐことが可能になる。
【００１４】
また、防水カバーは、撮像部の前面と背面を覆う２枚のシートが張り合わされて形成され、防水カバーシートには、防水カバーが複数枚並べられ、防水カバーの形状に合わせた切り目が設けられる。
【００１５】
また、好ましくは、撮像部は、Ｘ線フィルム若しくはイメージングプレートを保持するものであり、殺菌室と、第２保持部の間には、Ｘ線フィルム若しくはイメージングプレートを保管する引き出しが設けられ、引き出しの内面は、Ｘ線遮蔽部材で覆われる。
【００１６】
Ｘ線遮蔽部材で覆われた引き出しには、Ｘ線フィルムなど、歯科用口腔内Ｘ線撮影に用いられ、且つＸ線照射の影響を受けて変質しやすい部材を、Ｘ線照射の影響を受けて変質しにくい状態で保管することが可能になる。
【００１７】
また、好ましくは、第１保持部が、グリップを保持したか否かを検知する第１センサーを有し、殺菌室の開閉扉には、開閉状態を検知する第２センサーが設けられ、第１センサーと第２センサーの検知結果に基づいて、殺菌灯の点灯制御が行われる。
【００１８】
歯科用口腔内Ｘ線撮影装置が第１保持部に取り付けられた時に合わせて殺菌灯を点灯制御することにより、殺菌灯の点灯制御を自動的に行うことが可能になる。
【００１９】
開閉扉が開いている間は、殺菌灯を消灯させることにより、殺菌室に歯科用口腔内Ｘ線撮影装置を載置する使用者が殺菌灯からの紫外線の照射を受けるのを防止出来る。
【００２０】
また、好ましくは、第１保持部は、殺菌室の底面に設けられた孔若しくは凹みで、孔若しくは凹みにグリップの一部を挿入することで、グリップを保持するものであり、第１保持部は、グリップと電気的に接続する接続端子を有する。
【００２１】
また、第１保持部にグリップと電気的に接続する接続端子を設けた場合には、第１保持部を介して充電を行うことも可能になる。
【００２２】
さらに好ましくは、接続端子を介したグリップとの電気的な接続を検知する第１センサーを設け、第１センサーの検知結果に基づいて、殺菌灯の点灯制御が行われる。
【００２３】
本発明に係る歯科用口腔内Ｘ線撮影装置の殺菌装置は、歯科用口腔内Ｘ線撮影装置における一方向に延びる部材の一部を保持する第１保持部と、殺菌灯とを含む殺菌室と、殺菌室の下部に、歯科用口腔内Ｘ線撮影装置における撮影部材を保持する撮像部を覆う防水カバーを複数並べた防水カバーシートをロール状に保持するロールホルダーを含む第２保持部とを備える。
【発明の効果】
【００２４】
以上のように本発明によれば、歯科用口腔内Ｘ線撮影装置の消毒用の殺菌装置を提供することができる。
【図面の簡単な説明】
【００２５】
【図１】本実施形態における歯科用口腔内Ｘ線撮影装置を保管しない状態で、開閉扉や引き出しを閉じた状態の殺菌装置の斜視図である。
【図２】歯科用口腔内Ｘ線撮影装置を保管しない状態で、開閉扉を開け、引き出しを閉じた状態の殺菌装置の斜視図である。
【図３】歯科用口腔内Ｘ線撮影装置を保管した状態で、開閉扉を開け、引き出しを閉じた状態の殺菌装置の斜視図である。
【図４】防水カバーと取り付ける前の歯科用口腔内Ｘ線撮影装置の斜視図である。
【図５】防水カバーと取り付けた後の歯科用口腔内Ｘ線撮影装置の斜視図である。
【図６】殺菌装置の電気的な接続を示す構成図である。
【図７】歯科用口腔内Ｘ線撮影装置を保管しない状態で、開閉扉を閉じ、引き出しを開けた状態の殺菌装置の斜視図である。
【図８】スタンドが取り付けられ、ロール状のシートを巻いた第２保持部を取り付けた状態の、殺菌装置の斜視図である。
【図９】スタンドが取り付けられ、ロール状のシートから、防水シートを１つ取り外した状態の、殺菌装置の斜視図である。
【図１０】スタンドが取り付けられ、図９と異なる形状で廃棄部分が無く防水シートだけで構成されたロール状のシートから、防水シートを１つ取り外した状態の、殺菌装置の斜視図である。
【図１１】図８と異なる形状で、第２保持部を引き出しの横に配置し、第２保持部の前面をカバー部材で覆い、且つ殺菌灯の前面を遮光部材で覆った殺菌装置の斜視図である。
【発明を実施するための形態】
【００２６】
以下、本実施形態における殺菌装置の構成について、図１〜図１０を用いて説明する。本実施形態に係る殺菌装置１０は、筐体１１、殺菌灯１２、第１保持部１３、開閉扉１５、引き出し１７、第２保持部１９を備え、歯科用口腔内Ｘ線撮影装置５の保管、殺菌、充電を行うために用いられる。本実施形態では、歯科用口腔内Ｘ線撮影装置５と殺菌装置１０とで、歯科用口腔内Ｘ線撮影システムを構成する。
【００２７】
歯科用口腔内Ｘ線撮影装置５は、少なくとも、使用者や被検者が保持するグリップ５ａと、Ｘ線撮像素子やＸ線フィルムやイメージングプレートなど撮影部材を保持する撮像部５ｂとを備え、撮影時には撮像部５ｂが被検者の口腔内に挿入される（図４、図５参照）。撮像部５ｂなど、被検者の口腔内に挿入される部分には、防水カバー６１が取り付けられる。
【００２８】
本実施形態における歯科用口腔内Ｘ線撮影装置５は、撮像部５ｂにＸ線撮像素子が内蔵される形態だけでなく、撮像部５ｂにＸ線撮像素子などの撮影部材が着脱可能な状態で保持される形態（歯科用口腔内Ｘ線撮影補助具若しくはインジケータ）であってもよい。
【００２９】
歯科用口腔内Ｘ線撮影装置５には、口腔内に挿入した撮像部５ｂとＸ線照射を行うＸ線装置の位置合わせに使用され、撮像部５ｂと対向し、撮影時に口腔外に位置する案内部５ｃが設けられるのが望ましい。
【００３０】
撮像部５ｂは、グリップ５ａや、撮像部５ｂと案内部５ｃとを繋ぐ基板とのなす角度が変化出来るように回転可能な状態で当該基板に保持される形態であってもよい。
【００３１】
歯科用口腔内Ｘ線撮影装置５の外形を構成する部材は、樹脂に金属を真空蒸着させたものやフッ素樹脂など、殺菌灯１２からの紫外線照射による劣化が起きにくい材料で構成されるのが望ましい。
【００３２】
筐体１１は、側面と背面と底面と上面を有し、殺菌装置１０の外形を構成する。
筐体１１の背面が殺菌装置１０を載置する部屋の壁面などに取り付けられる、若しくは、筐体１１の背面や底面から下方向に延びるスタンド２１（図８〜図１０参照）が当該部屋の床面などに載置される。図１〜図３、図７の斜視図では、スタンド２１を省略している。
【００３３】
殺菌灯１２は、殺菌力を持つ波長域の光線を殺菌室Ａ内に照射する紫外線の光源で、筐体１１の上面若しくは側面の内側に取り付けられる。
【００３４】
第１保持部１３は、歯科用口腔内Ｘ線撮影装置５を保持するための台（クレードル）若しくは凹み若しくは孔で、殺菌室Ａの底部（筐体１１の底部）に設けられる（若しくは殺菌室Ａの側面や背面に設けられても良い）。本実施形態では、歯科用口腔内Ｘ線撮影装置５のグリップ５ａなど一方向に延びる部材の一部を収納する凹みが、第１保持部１３の役割を果たす例を示す。本実施形態では、第１保持部１３が２つ設けられる形態を示すが、これに限られない。
【００３５】
また、当該一方向に延びる部材（グリップ）の先端に電力供給を受ける端子を持つ場合には、第１保持部１３における当該先端と接触する位置に、歯科用口腔内Ｘ線撮影装置５と電気的に接続する接続端子１３ａを設け、ＡＣ／ＤＣコンバーター１３ｂや当該接続端子１３ａを介して歯科用口腔内Ｘ線撮影装置５に電力を供給する（充電する）形態であってもよい（図６参照）。接続端子１３ａやＡＣ／ＤＣコンバーター１３ｂは、筐体１１の底部の下に位置する。なお、接続端子１３ａによる電気的な接続は、端子同士が接触する形態だけでなく、電磁誘導など、非接触型の接続形態であってもよい。
【００３６】
また、接続端子１３ａを介した電気的な接続を検知する（接続端子１３ａに流れる電流を検知する）第１センサー１３ｃを設け、少なくとも１つの接続端子１３ａを介して電気的な接続があった場合に、殺菌灯１２を点灯させる（点灯制御する）形態であってもよい。
【００３７】
なお、第１センサー１３ｃは、接続端子１３ａとグリップ５ａとの電気的な接続を検知する形態に限らず、第１保持部１３に載置されたグリップ５ａの重みを検知するなど、第１保持部１３にグリップ５ａが挿入されたかどうか検知する形態であってもよい。
【００３８】
第１センサー１３ｃにより、歯科用口腔内Ｘ線撮影装置５が第１保持部１３に取り付けられた時に合わせて殺菌灯１２を点灯制御することにより、殺菌灯１２の点灯制御を自動的に行うことが可能になる。
【００３９】
開閉扉１５は、筐体１１の上面や底面に取り付けられ、ヒンジを使って、上下に開く扉（左右に開く扉でもよい）で、筐体１１と開閉扉１５で囲まれた空間が殺菌室Ａを形成する。本実施形態では、開閉扉１５が透明な部材で形成される形態を説明するが、これに限るものではない。
【００４０】
開閉扉１５の開閉状態を検知する第２センサー１５ａを設け、開閉状態に応じて、殺菌灯１２の点灯制御を行う形態であってもよい。例えば、開閉扉１５が開いている間は、殺菌灯１２を消灯させることにより、殺菌室Ａに歯科用口腔内Ｘ線撮影装置５を載置する使用者が殺菌灯１２からの紫外線の照射を受けるのを防止出来る。
【００４１】
殺菌室Ａの下部（筐体１１の底部の下）には、引き出し１７が設けられる。引き出し１７の内側や、引き出し１７と殺菌室Ａの下部（筐体１１の底部）の間（引き出し１７の底面と上方向で対向する面）には、鉛、タングステン、硫酸バリウム入りシートなど、Ｘ線遮蔽部材が取り付けられ、引き出し１７の内面は、当該Ｘ線遮蔽部材で覆われる。
【００４２】
引き出し１７の下部（引き出し１７を省略した場合には、筐体１１の底部の下）には、歯科用口腔内Ｘ線撮影装置５の防水カバー６１が複数並べられた防水カバーシート６０がロール状に巻かれたものを保持するロールホルダーを含む第２保持部１９が取り付けられる（図８〜図１０参照）。図１〜図３、図７の斜視図では、第２保持部１９を省略している。
【００４３】
防水カバー６１は、発泡性軟質樹脂シートなどで構成され、撮像部５ｂの前面と背面を覆う２枚のシートが張り合わされて形成される。
【００４４】
当該防水カバー６１が防水カバーシート６０の長手方向に複数枚並べられ、当該防水カバー６１の形状に合わせた切り目（ミシン目など）が設けられて、防水カバーシート６０が形成される。
【００４５】
使用者は、ロール状に巻かれて第２保持部１９のロールホルダーに掛けられた防水カバーシート６０から、必要な数だけ、防水カバー６１を取り外して、歯科用口腔内Ｘ線撮影装置５の撮像部５ｂを覆う。
【００４６】
防水カバーシート６０は、図８、図９に示すように、防水カバー６１を構成しない廃棄部分６３を有することも考えられるし、図１０に示すように、廃棄部分６３が無いように、防水カバー６１の形状を構成する形態であってもよい。
【００４７】
殺菌室Ａ内に、歯科用口腔内Ｘ線撮影装置５を配置し、殺菌灯１２を点灯させて、歯科用口腔内Ｘ線撮影装置５に、殺菌力を持つ波長域の紫外線を照射することで、歯科用口腔内Ｘ線撮影装置５を消毒することが出来る。
【００４８】
歯科用口腔内Ｘ線撮影装置５のグリップ５ａを第１保持部１３に取り付けることで、殺菌室Ａ内での歯科用口腔内Ｘ線撮影装置５の保持を容易且つ確実に行える。
【００４９】
また、第１保持部１３にグリップ５ａと電気的に接続する接続端子１３ａを設けた場合には、第１保持部１３を介して充電を行うことも可能になる。
【００５０】
また、第１保持部１３に歯科用口腔内Ｘ線撮影装置５を取り付けた時に、特に殺菌灯１２からの紫外線を照射したい部位（例えば、撮像部５ｂ）が、殺菌灯１２からの紫外線照射を近くで且つ直接的に受けられる位置関係になるように、殺菌灯１２と第１保持部１３の位置関係を定めておくと、効率良く殺菌を行うことが可能になる。
【００５１】
Ｘ線遮蔽部材で覆われた引き出し１７には、Ｘ線フィルムなど、歯科用口腔内Ｘ線撮影に用いられ、且つＸ線照射の影響を受けて変質しやすい部材を、Ｘ線照射の影響を受けて変質しにくい状態で保管することが可能になる。
【００５２】
防水カバー６１を複数並べた防水カバーシート６０を第２保持部１９で保持し、ロール状の防水カバーシート６０から必要な部数だけ防水カバー６１を取り外すことで、歯科用口腔内Ｘ線撮影で用いられる防水カバー６１を、必要な時に入手しやすい状態で保管することが可能になる。
【００５３】
グリップ５ａの保持を行う第１保持部１３を殺菌室Ａ内に設け、撮像部５ｂを覆う防水カバー６１を複数並べた防水カバーシート６０をロール状で保持する第２保持部１９を殺菌室Ａの下部に設けることにより、歯科用口腔内Ｘ線撮影装置５を消毒するために最適な殺菌装置１０を得ることが可能になる。
【００５４】
ここまで、第２保持部１９が、引き出し１７の下部に配置される例を示したが、第２保持部１９が、引き出し１７の横に配置される形態であってもよい（図１１参照）。
【００５５】
また、防止カバーシート６０のロール部分を隠すために、第２保持部１９の前面や底面や背面を、カバー部材２３（筐体１１を構成する部材の一部を含む）で覆って、開口（底面でもよい）から防水カバーシート６０の先端部分を外部に露出させて、防水カバー６１への埃などの付着を防ぐ形態であってもよい。この場合、防水カバーシート６０の取り替えのために、筐体１１の側面やカバー部材２３の一部が開閉する機構を設けるのが望ましい。
【００５６】
また、図１〜図３、図７〜図１０の斜視図では、殺菌灯１２を分かりやすく図示するために、遮光部材１２ａを省略しているが、殺菌灯１２からの紫外線が使用者の目に照射されないように、殺菌灯１２の前面（開閉扉１５に近い側）に、遮光部材１２ａを設けるのが望ましい（図１１参照）。
【符号の説明】
【００５７】
５  歯科用口腔内Ｘ線撮影装置
５ａ  グリップ
５ｂ  撮像部
５ｃ  案内部
１０  殺菌装置
１１  筐体
１２  殺菌灯
１２ａ  遮光部材
１３  第１保持部
１３ａ  接続端子
１３ｂ  ＡＣ／ＤＣコンバーター
１３ｃ  第１センサー
１５  開閉扉
１５ａ  第２センサー
１７  引き出し
１９  第２保持部
２１  スタンド
２３  カバー部材
６０  防水カバーシート
６１  防水カバー
６３  廃棄部分
Ａ  殺菌室
【図１】
2015051103.tif 000003
【図２】
2015051103.tif 000004
【図３】
2015051103.tif 000005
【図４】
2015051103.tif 000006
【図５】
2015051103.tif 000007
【図６】
2015051103.tif 000008
【図７】
2015051103.tif 000009
【図８】
2015051103.tif 000010
【図９】
2015051103.tif 000011
【図１０】
2015051103.tif 000012
【図１１】
2015051103.tif 000013